(57)【要約】【課題】  光学部品の保持において、簡易な構成かつ限られたスペース内で、光学部品とマスク部品を高精度に保持することが可能な光学部品保持装置を提供する。【解決手段】  第１の保持部材２０６は、前記第１の光学部品２０１と光軸方向に接触して前記第１の光学部品２０１の光軸方向の位置決めをする第１の受け面、及び、前記第２の光学部品２０２と光軸方向に接触して前記第２の光学部品２０２の光軸方向の位置決めをする第２の受け面を有する。【選択図】  図３
2019168609.tif 000002
【特許請求の範囲】
【請求項１】
レンズを保持する第１の光学部品と、レンズを保持する第２の光学部品と、光軸方向において前記第１の光学部品と前記第２の光学部品の間に配置され、光束の径を設定する第１のマスクと、第１の保持部材と、第２の保持部材と、を有する光学部品保持装置であって、
前記第１のマスクは、前記第１の光学部品及び前記第２の光学部品と接触して、光軸方向について前記第１の光学部品及び前記第２の光学部品を付勢する第１の付勢部材を有しており、
前記第１の保持部材と前記第２の保持部材は、前記第１の光学部品、前記第１のマスク、前記第２の光学部品を挟み込んで、光軸方向に前記第１の光学部品と、前記第２の光学部品、前記第１のマスクを押圧保持しており、
前記第１の保持部材は、前記第１の光学部品と光軸方向に接触して前記第１の光学部品の光軸方向の位置決めをする第１の受け面、及び、前記第２の光学部品と光軸方向に接触して前記第２の光学部品の光軸方向の位置決めをする第２の受け面を有することを特徴とする光学部品保持装置。
【請求項２】
光軸方向において前記第２の光学部品の反被写体側に光束の径を設定する第２のマスクが設けられ、
光軸方向において前記第２のマスクの反被写体側にレンズを保持する第３の光学部品が設けられ、
前記第２のマスクは、前記第３の光学部品及び前記第２の光学部品と接触して、光軸方向について前記第３の光学部品及び前記第２の光学部品を付勢する第２の付勢部材を有しており、
前記第１の保持部材と前記第２の保持部材は、前記第１の光学部品、前記第１のマスク、前記第２の光学部品、前記第２のマスク、前記第３の光学部品を挟み込んで、光軸方向に前記第１の光学部品、前記第１のマスク、前記第２の光学部品、前記第２のマスク、前記第３の光学部品を押圧保持しており、
前記第１の保持部材は、前記第３の光学部品と光軸方向に接触して前記第３の光学部品の光軸方向の位置決めをする第３の受け面を有していることを特徴とする請求項１に記載の光学部品保持装置。
【請求項３】
前記第１のマスクの外周縁は、矩形状であり、
前記第１の付勢部材は、前記矩形状の第１のマスクの外周縁の短辺に設けられており、
前記第２のマスクの外周縁は、矩形状であり、
前記第２の付勢部材は、前記矩形状の第２のマスクの外周縁の短辺に設けられていることを特徴とする請求項１又は２に記載の光学部品保持装置。
【請求項４】
前記第１のマスクの第１の付勢部材による荷重は、前記第１のマスクよりも被写体側にある前記第１の光学部品の重量よりも大きいことを特徴とする請求項１乃至３の何れか一項に記載の光学部品保持装置。
【請求項５】
前記第２のマスクの第２の付勢部材による荷重は、前記第２のマスクよりも被写体側にある、前記第２の光学部品の重量及び前記第１のマスクの重量及び前記第１の光学部品の重量、前記第１のマスクの第１の付勢部材による荷重の合計の値よりも大きいことを特徴とする請求項１乃至４の何れか一項に記載の光学部品保持装置。
【請求項６】
前記第２の保持部材と前記第３の光学部材の間に第３の付勢部材が設けられており、
前記第１のマスクの第１の付勢部材による荷重は、前記第１のマスクよりも反被写体側にある前記第２の光学部品の重量及び前記第３の光学部品の重量及び前記第２のマスクの重量及び前記第３の付勢部材による荷重の合計の値よりも小さいことを特徴とする請求項１乃至５の何れか一項に記載の光学部品保持装置。
【請求項７】
前記第２のマスクの第２の付勢部材による荷重は、前記第２のマスクよりも反被写体側にある、前記第３の光学部品の重量及び前記第３の付勢部材による荷重の合計の値よりも小さいことを特徴とする請求項１乃至５の何れか一項に記載の光学部品保持装置。
【請求項８】
前記第１のマスクの第１の付勢部材は、ファインダ視野の短辺方向に延びており、前記第１の付勢部材の根元には、前記第１のマスクと前記第１の光学部品が接触する受け面を有することを特徴とする請求項３に記載の光学部品保持装置。
【請求項９】
前記第１のマスクは、ファインダ視野の長辺方向の軸を基準として３０°以上の位置に、前記第１の光学部品と接触する複数の受け面を有することを特徴とする請求項８に記載の光学部品保持装置。
【請求項１０】
前記光学部品保持装置は、被写体像の視度を調整する接眼ユニットである請求項１乃至９の何れか一項に記載の光学部品保持装置。
【請求項１１】
請求項１０に記載の光学部品保持装置と、撮像素子とを有する撮像装置。
【発明の詳細な説明】
【技術分野】
【０００１】
本発明は、光学部品を保持する光学部品保持装置に関する。特に、静止画や動画を撮像可能な被写体像を電気信号に変換して撮像するデジタルカメラ等の撮像装置用の光学部品保持装置に関するものである。
【背景技術】
【０００２】
撮像装置では、撮影光束を撮像素子で受光し、その撮像素子から出力される光電変換信号を画像データに変換して、メモリカード等の記録媒体に記録する。
【０００３】
撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００４】
このような撮像装置においては、例えば、被写体像を撮影者が観察するためのファインダ装置や、被写体像に焦点を合わせるための焦点検出装置などが備えられている。
【０００５】
ファインダ装置や焦点検出装置は１つ以上の光学部品からなる光学ユニットであり、これら光学部品、および必要な光束を設定するマスク部品を高精度に取り付けられる必要がある。
【０００６】
特に、電子ビューファインダにおいては、複数の光学部品、およびマスク部品を、一つの光学部品の保持部材に積層させる構成が主流となっている。部品を配置できるスペースが限られている中で、高精度な取り付けが求められている。
【０００７】
従来、光学部品の保持方法の一例として、図１７に示す構成がある。図１７は従来例における光学ユニット３００の部品構成を示している。
【０００８】
従来例では、光学部品３０１〜３０３、マスク部品３０４、３０５、および弾性部材３０８を第１の光学部品の保持部材３０６へ収納している。そして、第２の光学部品の保持部材３０７でカバーすることで、光学ユニット３００が完成する。
【０００９】
図１８は第１の光学部品の保持部材３０６の正面図であり、光学部品３０１の光軸方向の受け面３１１ａ〜３１１ｃを示している。
【００１０】
光学部品３０１はこの受け面３１１ａ〜３１１ｃ上に組み立てられる。
【００１１】
一方で、光学部品３０２、３０３の光軸方向の受け面は、各光学部品の下に構成されるマスク部品３０４、３０５に設けられている。
【００１２】
図１７において、光学部品３０２の光軸方向の受け面は、マスク部品３０４の３１２ａ〜３１２ｃ、光学部品３０３の光軸方向の受け面は、マスク部品３０５の３１３ａ〜３１３ｃとなっている。
【００１３】
また、各マスク部品３０４、３０５の光軸方向の受け面は、各マスク部品の下に構成される光学部品３０１、３０２に設けられている。
【００１４】
図１７において、マスク部品３０４の光軸方向の受け面は、光学部品３０１の３１４ａ〜３１４ｃ、マスク部品３０５の光軸方向の受け面は、光学部品３０２の３１５ａ〜３１５ｃとなっている。
【００１５】
したがって、従来例においては、光学部品３０１の受け面３１１ａ〜３１１ｃは第１の光学部品の保持部材３０６に設けられている。
【００１６】
しかしながら、光学部品３０２の受け面はマスク部品３０４に、光学部品３０３の受け面はマスク部品３０５にそれぞれ設けられている。
【００１７】
また、マスク部品３０４の受け面は光学部品３０１に、マスク部品３０５の受け面は光学部品３０２にそれぞれ設けられている。
【００１８】
さらに、光学部品の保持方法の他の一例として、以下に開示されたような方法がある。
【００１９】
特許文献１では、光学部品を接着せずに保持する構成のファインダ装置において、弾性を有した付勢部材で一つの光学部品を光軸方向及び、光軸に垂直な方向へ押圧保持する方法が提案されている。
【先行技術文献】
【特許文献】
【００２０】
【特許文献１】特開２０１５−１０２８２１号公報
【発明の概要】
【発明が解決しようとする課題】
【００２１】
しかしながら、上述の特許文献１に開示された従来例では、一つの光学部品に対して押圧保持する部材が多いため、限られたスペース内で光学部品を高精度に取り付けることが困難な場合がある。
【００２２】
また、平行・偏芯敏感度の高い光学部品を使用する場合に、光学部品の面精度が極度に歪むことで、所望の光学性能を満たせない可能性がある。
【００２３】
また、上述した図１７、図１８の従来例では一つの光学部品の保持部材に、複数の光学部品、およびマスク部品を積層させる構成となっている。
【００２４】
よって、光学部品３０１〜３０３の光軸方向の距離補正、および傾き補正は、複数の光学部品、マスク部品の受け面を補正する必要があり、量産上での高精度な保持を実現することが困難な構成となっている。
【００２５】
従来例において、ファインダ性能を向上させる場合、レンズの敏感度を考慮すると、量産上での高精度な保持の実現は、増々困難となってくる。
【００２６】
そこで、本発明の目的は、光学部品の保持において、簡易な構成かつ限られたスペース内で、光学部品とマスク部品を高精度に保持することが可能な光学部品保持装置を提供することである。
【課題を解決するための手段】
【００２７】
そこで、本発明の光学部品保持装置では、レンズを保持する第１の光学部品と、レンズを保持する第２の光学部品と、光軸方向において前記第１の光学部品と前記第２の光学部品の間に配置され、光束の径を設定する第１のマスクと、第１の保持部材と、第２の保持部材と、を有する光学部品保持装置であって、
前記第１のマスクは、前記第１の光学部品及び前記第２の光学部品と接触して、光軸方向について前記第１の光学部品及び前記第２の光学部品を付勢する第１の付勢部材を有しており、
前記第１の保持部材と前記第２の保持部材は、前記第１の光学部品、前記第１のマスク、前記第２の光学部品を挟み込んで、光軸方向に前記第１の光学部品と、前記第２の光学部品、前記第１のマスクを押圧保持しており、
前記第１の保持部材は、前記第１の光学部品と光軸方向に接触して前記第１の光学部品の光軸方向の位置決めをする第１の受け面、及び、前記第２の光学部品と光軸方向に接触して前記第２の光学部品の光軸方向の位置決めをする第２の受け面を有することを特徴とする。
【発明の効果】
【００２８】
本発明によれば、光学部品の保持において、簡易な構成かつ限られたスペース内で、光学部品とマスク部品を高精度に保持することが可能な光学部品保持装置を提供することができる。
【図面の簡単な説明】
【００２９】
【図１】本発明の実施形態におけるカメラ１００の正面斜視図、背面斜視図
【図２】本発明の実施形態におけるカメラ１００のシステム図
【図３】本発明の実施例における接眼ユニット２００の斜視図
【図４】本発明の実施例における第１の光学部品の保持部材２０６の正面図
【図５】本発明の実施例における接眼ユニット２００の正面図、Ａ−Ａ断面図
【図６】本発明の実施例におけるマスク部品２０４と付勢部材４００の正面図、背面図、斜視図
【図７】本発明の実施例における収納時の光学部品２０１、２０２、マスク部品２０４の側面図
【図８】本発明の実施例における付勢部材４００と光学部品２０２の接触位置を説明する図
【図９】本発明の他の実施例におけるマスク部品５０４と付勢部材５００の斜視図
【図１０】本発明の実施例におけるマスク部品２０４の開口部の変形方向を示す図
【図１１】本発明の実施例における弾性部材２０８の背面図と斜視図
【図１２】本発明の実施例における荷重関係を説明する図Ａ
【図１３】本発明の実施例における荷重関係を説明する図Ｂ
【図１４】本発明の他の実施例におけるマスク部品６０５と付勢部材６００の斜視図
【図１５】本発明の他の実施例における荷重関係を説明する図Ａ
【図１６】本発明の他の実施例における荷重関係を説明する図Ｂ
【図１７】従来例における光学ユニット３００の斜視図
【図１８】従来例における第１の光学部品の保持部材３０６の正面図
【発明を実施するための形態】
【００３０】
［実施例］
本発明の実施例として、カメラの構成について図面を参照しながら説明する。
【００３１】
本実施例におけるカメラは、ＣＣＤやＣＭＯＳ型等の固体撮像素子を用いたデジタル一眼レフカメラに適用される。
【００３２】
図１は、本発明の実施例おけるカメラ１００の一例であり、図１（ａ）はカメラ１００の正面斜視図、図１（ｂ）はカメラ１００の背面斜視図である。
【００３３】
カメラ１００には、撮影レンズ１０が装着され、マウント接点群（不図示）を介して電気的に接続される。２０はカメラ１００の上面を覆う上面カバーである。
【００３４】
上面カバー１００は導電樹脂などの導電部材で形成され、不要ノイズを放射することがなく、外来ノイズの影響を受け難くすることができる。
【００３５】
３０は無線モジュール４０を覆うアンテナカバーである。アンテナカバー３０は樹脂等の非導電部材で形成することで、無線電波を透過し、無線モジュール４０と外部装置との通信を可能とする。
【００３６】
５０はアクセサリーシューであり、ストロボ装置等の撮影に使用するアクセサリーをカメラ１００に取り付ける部分である。
【００３７】
６０は撮影動作を開始させるために、ユーザーにより押圧操作される撮影ボタンである。７０はユーザーが被写体像を観察するための電子ビューファインダ（以下、ＥＶＦとする）である。
【００３８】
図２は、本発明の実施例におけるカメラ１００のシステム図である。１１０は主基板であり、後述するシステム制御部１１１や画像処理部１１２等を構成するための様々な部品が実装され、カメラ１００全体の動作制御を行う。
【００３９】
電源１１３はカメラ１００内の回路各部に電力の供給を行う。
【００４０】
撮像素子１２０はＣＣＤやＣＭＯＳセンサにより構成され、撮像素子１２０によって取り込まれた被写体の光学像を画像信号に変換する。
【００４１】
撮像素子１２０により得られた画像信号は、画像処理部１１２によって画像データに変換され、システム制御部１１１に出力される。
【００４２】
撮影レンズ１０は、フォーカスレンズ１１等の複数のレンズ、及び絞り（不図示）等で構成されている。
【００４３】
光学系制御部１２は、システム制御部１１１からマウント接点群を介して入力された信号に基づいて、フォーカスレンズ１２と、絞りを駆動し、撮影レンズ１０の焦点とカメラ１００内に入射する光量を調節する。
【００４４】
撮影レンズ１０と撮像素子１２０の間には、シャッター１３０が配置されており、撮像素子１２０の露光時間を調整する。
【００４５】
シャッター制御部１１４はシステム制御部１１１から入力された信号に基づいて、シャッター１３０を駆動する。
【００４６】
撮影ボタン６０はユーザーにより押圧操作されると、操作検出部１１５がシステム制御部１１１に信号を出力し、撮影が開始される。
【００４７】
ＥＶＦ７０には、光学部品を保持している接眼ユニット２００や、有機ＥＬパネル等の表示パネル７１が搭載されている。
【００４８】
そして、表示制御部１１６は撮影情報や撮像素子１２０から取得した画像を表示パネル７１に表示し、接眼ユニット２００を通して、被写体画像をユーザーに視認させる。
【００４９】
無線モジュール４０は無線基板１１７に搭載されており、無線通信ネットワークに接続された外部装置（例：パーソナルコンピュータ）に、無線通信で撮影した画像の転送等を行うことができる。
【００５０】
ここから、図を用いて、本発明の実施例であるカメラに備えられている光学部品保持装置について説明する。
【００５１】
（光学部品）
まず初めに、図３、図４を用いて本発明の実施例における、上述のカメラ１００内部のＥＶＦ７０に搭載されている接眼ユニット２００の構成について説明する。
【００５２】
なお、接眼ユニット２００が請求項記載の光学部品保持装置２００に相当する。
【００５３】
図３は本発明の実施例における接眼ユニット２００の斜視図である。
【００５４】
図４は本発明の実施例における第１の光学部品の保持部材２０６の正面図である。
【００５５】
図３に示す通り、接眼ユニット２００では、光学部品２０１〜２０３、マスク部品２０４、２０５、およびその他部品が、第１の光学部品の保持部材２０６、第２の光学部品の保持部材２０７に収納されている。
【００５６】
接眼ユニット２００をｚ軸方向（以下、光軸方向と呼ぶ）に移動することで、ＥＶＦ７０に搭載される表示パネル７１に表示される被写体像の視度を調整することが可能となっている。
【００５７】
一般的には、光学部品２０１〜２０３は透明度が高い光学用樹脂（ポリカーボネート等）、または光学ガラスの成形により作製される。
【００５８】
光学部品２０１〜２０３は概形が略方形または円形であり、中心には略球面形状のレンズ有効面、図に示すＲ２面が形成されている。
【００５９】
光学部品２０１〜２０３の各々は、レンズのレンズ有効面の外縁を支持部にて支持した支持部材である。
【００６０】
各光学部品のＲ２面の反対側は、同様に略球面上のレンズ有効面、Ｒ１面となっている。
【００６１】
また、マスク部品２０４、２０５、および第１の光学部品の保持部材２０６、第２の光学部品の保持部材２０７は樹脂（ポリカーボネート等）の成形により作製される。
【００６２】
マスク部品２０４、２０５は、光束の径を設定する。
【００６３】
マスク部品２０４、２０５は中心に略方形の開口を有しており、必要な光束を設定している。
【００６４】
第１の光学部品の保持部材２０６は略箱形状で、第２の光学部品の保持部材２０７は第１の光学部品の保持部材２０６の内部に各部品を収納するためのカバー形状となっている。
【００６５】
そして、第１の光学部品の保持部材２０６と係合する形状を備えている。
【００６６】
図４は第１の光学部品の保持部材２０６の正面図であり、光学部品２０１〜２０３の光軸方向の受け面を有している。
【００６７】
それぞれ、光学部品２０１の受け面２１１、光学部品２０２の受け面２１２ａ〜２１２ｃ、光学部品２０３の受け面２１３ａ〜２１３ｃとなっている。
【００６８】
そのため、光学部品２０１〜２０３の光軸方向の距離補正、および傾き補正は、第１の光学部品の保持部材２０６の各光学部品の受け面を補正すればよく、量産上での高精度な保持を実現することが容易な構成となっている。
【００６９】
そのため、ユーザーがファインダを覗いた際の、ファインダ品質（ファインダ像の歪み、視野角など）を安定して向上させることができる。
【００７０】
また、光学部品２０３と第２の光学部品の保持部材２０７の間には、弾性部材２０８と、弾性部材２０８を第２の光学部品の保持部材２０７へ貼り付ける接着部材２０９が設けられている。
【００７１】
弾性部材２０８は、光学部品２０１〜２０３、およびマスク部品２０４、２０５を押圧することで、各部品を適切な受け面で位置決めすることを保証するために設けられている。
【００７２】
接着部材２０９は組立を容易とするために設けており、本発明においては、必ずしも必須ではない。
【００７３】
以上のように、光学部品２０１〜２０３、およびマスク部品２０４、２０５を第１の光学部品の保持部材２０６へ収納する。
【００７４】
そして、弾性部材２０８を貼り付けした第２の光学部品の保持部材２０７でカバーすることで、接眼ユニット２００が完成する。
【００７５】
第１のマスク２０４は、第１の光学部品２０１及び第２の光学部品２０２と接触して、光軸方向について第１の光学部品２０１及び第２の光学部品２０２を付勢する第１の付勢部材４００を有している。
【００７６】
第１の保持部材２０６と前記第２の保持部材２０７は、第１の光学部品２０１、第１のマスク２０４、第２の光学部品２０２を挟み込んで、光軸方向に第１の光学部品２０１と、第２の光学部品２０２、第１のマスク２０４を押圧保持している。
【００７７】
第１の保持部材２０６は、第１の光学部品２０１と光軸方向に接触して第１の光学部品２０１の光軸方向の位置決めをする第１の受け面、及び、第２の光学部品２０２と光軸方向に接触して第２の光学部品２０２の光軸方向の位置決めをする第２の受け面を有する。
【００７８】
第２の保持部材２０７と第３の光学部材２０３の間に第３の付勢部材２０８が設けられている。
【００７９】
第１の付勢部材４００による荷重は、第１のマスク２０４よりも反被写体側にある第２の光学部品２０２の重量及び第３の光学部品２０３の重量及び第２のマスク２０５の重量及び第３の付勢部材２０８による荷重の合計の値よりも小さい（図３）。
【００８０】
（マスク、付勢部材の概要）
次に、図５〜図７を用いて、第１の光学部品の保持部材２０６と第２の光学部品の保持部材２０７に収納される各部品の詳細について説明する。
【００８１】
図５（ａ）は本発明の実施例における接眼ユニット２００の正面図、図５（ｂ）はそのＡ−Ａ断面図である。
【００８２】
図６（ａ）は本発明の実施例における第１のマスク部品２０４と付勢部材４００の正面図、図６（ｂ）はその背面図、図６（ｃ）はその斜視図である。
【００８３】
図７は本発明の実施例における収納時の光学部品２０１、２０２、マスク部品２０４の側面図である。
【００８４】
図８は本発明の実施例におけるマスク部品２０４の付勢部材４００と光学部品の接触位置を説明する図である。
【００８５】
図９は本発明の他の実施例におけるマスク部品５０４と付勢部材５００の斜視図である。
【００８６】
図１０は本発明の実施例におけるマスク部品２０４の開口部の変形方向を示す図である。
【００８７】
図１１は本発明の実施例における弾性部材２０８の背面図と斜視図である。
【００８８】
図７（ａ）のＡ−Ａ断面図である図７（ｂ）において、上述の通り、光学部品２０１〜２０３は第１の光学部品の保持部材２０６に設けられた、光軸方向の受け面の上に組み立てられている。
【００８９】
そのため、本実施例の構成においては、光学部品２０１〜２０３の光軸方向の位置決めを保証しながら、マスク部品２０４、２０５をいかに精度良く保持していくかが課題となる。
【００９０】
はじめに、第１のマスク部品２０４の保持方法について詳細に説明する。
【００９１】
図６（ａ）に示す通り、第１のマスク部品２０４は光軸を０とする座標系の各象限に、図面ｙ方向に延びる略矩形上の付勢部材４００ａ〜４００ｄを有している。
【００９２】
また、図６（ｂ）に示す４０１ａ、４０１ｂ、４０２ａ〜４０２ｄは、マスク部品２０４と光学部品２０１との接触箇所となっている。
【００９３】
マスク部品２０４の光軸方向の受け面は、光学部品２０１のＲ１面となっており、上述した図６（ｂ）に示す受け面４０１ａ、４０１ｂ、４０２ａ〜４０２ｄにて、光学部品２０１と接触する。
【００９４】
第１のマスク２０４の第１の付勢部材４００は、ファインダ視野の短辺方向に延びており、第１の付勢部材４００の根元には、第１のマスク２０４と第１の光学部品２０１が接触する受け面４０１を有する（図６）。
【００９５】
第１のマスク２０４は、ファインダ視野の長辺方向の軸を基準として３０°以上の位置に、第１の光学部品２０１と接触する複数の受け面４０２を有する（図６）。
【００９６】
図７は、収納時のマスク部品２０４の状態を示しており、第１の光学部品の保持部材２０６に対して、順に第１の光学部品２０１、第１のマスク部品２０４、光学部品２０２を収納した状態となっている。第１の光学部品の保持部材２０６は不図示である。
【００９７】
本実施例では、さらに光学部品２０２の上から、マスク部品２０５、光学部品２０３、および弾性部材２０８が収納されていく。
【００９８】
このとき、マスク部品２０４は、第１の光学部品２０１と受け面４０１ａ、４０１ｂ、４０２ａ〜４０２ｄにて接触している。
【００９９】
一方で、第２の光学部品２０２と付勢部材４００ａ〜４００ｄの先端で接触しており、マスク部品２０４は２つの光学部品２０１，２０２と接触している。
【０１００】
この状態において、マスク部品２０４の付勢部材４００ａ〜４００ｄは光学部品２０２、その他部品の自重、および弾性部材２０８の押圧力によって弾性変形する。
【０１０１】
その際に発生する弾性力によって、光学部品２０１、２０２の間で精度良く位置決めされる。
【０１０２】
このとき、光学部品はある厚さ以上の厚みがあり、一定以上の剛性を備えているため、付勢部材４００ａ〜４００ｄよりも、弾性変形しにくい。
【０１０３】
そのため、付勢部材４００ａ〜４００ｄよりも、発生する弾性力は極めて小さいと考えられる。
【０１０４】
また、図８に示す通り、マスク部品２０４の付勢部材４００ａ〜４００ｄは、光学部品２０２のレンズ有効面Ｒ１面ではない位置で、第２の光学部品２０２と接触していることが望ましい。
【０１０５】
図８（ａ）は光学部品２０２の背面図を示しており、斜線部がレンズ有効面Ｒ１面となっている。
【０１０６】
レンズ有効面Ｒ１面に付勢部材４００ａ〜４００ｄを接触させた場合、その弾性力によって光学部品２０２のレンズ面が歪み、ファインダ性能に悪影響を及ぼす可能性がある。
【０１０７】
そのため、本実施例では、図８（ｂ）の通り、付勢部材４００ａ〜４００ｄをレンズ有効面Ｒ１面ではない位置で、光学部品２０２と接触することで、レンズ面の歪みを抑制している。
【０１０８】
以上の構成により、マスク部品２０４を精度よく位置決めし、レンズ麺の歪みを抑制する。よって、ユーザーがファインダを覗いた際の、ファインダ品質（ファインダ像の歪み、視野角など）を安定して向上させることができる。
【０１０９】
本実施例では、付勢部材４００ａ〜４００ｄはマスク部品２０４と一体となっているが、図９のように、マスク部品５０４と別体となっていてもよい。
【０１１０】
図９の付勢部材５００ａ、５００ｂは、例えば、ウレタンフォームやゴム等の弾性部材が材料となっており、光軸中心に対する座標系の象限を跨るようにして、複数設けられている。
【０１１１】
さらに、本実施例の通り、付勢部材４００ａ〜４００ｄを有するマスク部品２０４と光学部品２０１の光軸方向の受け面４０２ａ、４０２ｂは、図６（ｂ）に示す通り、付勢部材が延びている根元に配置されている。
【０１１２】
本発明の構成では、図１０に示す通り、マスク部品２０４が光学部品２０１、２０２間に位置決めされる。その際に、付勢部材４００ａ〜４００ｄの弾性変形と同じく、マスク部品２０４のファインダ視野に必要な光束を設定している開口形状も、図中矢印方向に弾性変形する。
【０１１３】
マスク開口が予想以上に変形してしまうと、例えば大きくなる方向に変形した場合、本来隠されているはずの部品が見えてしまう。
【０１１４】
一方で小さくなる方向に変形してしまうとファインダ視野が小さくなってしまう、などの問題となる。
【０１１５】
ここで、一般的なファインダにおいて、ファインダ視野に必要な光束は、図面ｙ方向（縦幅）よりも図面ｘ方向（横幅）の方が広く、メカスペースの関係からｙ方向よりもｘ方向の方が余裕量が少ない。
【０１１６】
従って、本実施例では、付勢部材４００ａ〜４００ｄの根元に受け面４０１ａ、４０１ｂを配置することで、マスク開口のｘ方向の変形を十分に抑制する構成となっている。
【０１１７】
第１のマスク２０４、第２のマスク２０５の外周縁は、矩形状である。
【０１１８】
第１の付勢部材４００は、矩形状の第１のマスク２０４の外周縁の短辺に設けられている。
【０１１９】
第２の付勢部材６００は、矩形状の第２のマスク２０５の外周縁の短辺に設けられている。
【０１２０】
また、本実施例の構成では、マスク部品２０４を第１の光学部品の保持部材２０６、第２の光学部品の保持部材２０７に収納した状態が生じる。
【０１２１】
その状態において、ｘ方向のマスク開口変形量Δｘと、ｙ方向のマスク開口変形量Δｙは、Δｘ＜Δｙの関係となっている。
【０１２２】
そのため、ユーザーがファインダを覗いた際の、視野角や、視野のケラレにくさを安定して保証することができる。
【０１２３】
さらに、本実施例ではマスク部品２０４と第１の光学部品２０１の光軸方向の受け面として、受け面４０１ａ、４０１ｂとは別に、４０２ａ〜４０２ｄを設けている。
【０１２４】
これらの受け面４０２ａ〜４０２ｄは、光軸を０とする座標系において、図中ｘ軸から３０°以上の位置に配置されることが望ましい。
【０１２５】
受け面４０２ａ〜４０２ｄの配置が図中ｘ軸から３０°以下の場合、必要以上に付勢部材４００ａ〜４００ｄの根元周辺で受けてしまい、付勢部材４００ａ〜４００ｄの変形による弾性力が大きくなってしまう。
【０１２６】
また、マスク部品２０４のｙ方向開口付近に受け面がないため、ｙ方向開口の変形が大きくなってしまう。
【０１２７】
従って、受け面４０２ａ〜４０２ｄは、図６（ｂ）に示す通り、光軸を０とする座標系において、ｘ軸から３０°以上の位置に配置する。
【０１２８】
よって、マスク部材２０４におけるマスク開口のｘｙ方向の変形のバランスを考慮しながら、付勢部材４００ａ〜４００ｄの変形による弾性力を所望の範囲に抑えることができる。
【０１２９】
第１の付勢部材４００による荷重は、第１のマスク２０４よりも被写体側にある第１の光学部品２０１の重量よりも大きい。
【０１３０】
付勢部材４００ａ〜４００ｄの弾性力の狙いについての詳細は後述する。
【０１３１】
続いて、マスク部品２０５の保持方法について詳細に説明する。
【０１３２】
マスク部品２０５の光軸方向の受け面は、図３に示す通り、光学部品２０２の２１５ａ〜２１５ｃとなっている。
【０１３３】
一方で、マスク部品２０５と光学部品２０３は収納状態では、図１１に示す弾性部材２０８の凸部４０３ａ〜４０３ｃ、および４０５ａ〜４０５ｃと接触している。
【０１３４】
凸部４０３ａ〜４０３ｃは、第３の光学部品２０３と、凸部４０５ａ〜４０５ｃはマスク部品２０５とそれぞれ接触している。
【０１３５】
図７（ｂ）の通り、収納状態にて、第２の光学部材２０３とマスク部品２０５は弾性部材（第３の付勢手段）２０８によって挟持される。
【０１３６】
よって、弾性部材（第３の付勢手段）２０８が弾性変形し、その際に発生する弾性力によって、光学部品２０３と共にマスク部品２０５が、精度良く位置決めされる。
【０１３７】
そのため、ユーザーがファインダを覗いた際の、視野角や、視野のケラレにくさを安定して保証することができる。
【０１３８】
（付勢部材の荷重関係）
次に、図１２〜図１６を用いて、マスク部品２０４に設けられた付勢部材４００の荷重の詳細について説明する。
【０１３９】
図１２は本発明の実施例における荷重関係を説明する図Ａである。
【０１４０】
図１３は本発明の実施例における荷重関係を説明する図Ｂである。
【０１４１】
図１４は本発明の他の実施例におけるマスク部品６０５と付勢部材６００の斜視図である。
【０１４２】
図１５は本発明の他の実施例における荷重関係を説明する図Ａである。
【０１４３】
図１６は本発明の他の実施例における荷重関係を説明する図Ｂである。
【０１４４】
マスク部品２０４が接眼ユニット２００に収納された状態において、付勢部材４００ａ〜４００ｄは、不図示の光学部品２０２、その他部品の自重、および弾性部材２０８の押圧力によって弾性変形する。
【０１４５】
よって、図１２に示すＦ１ａ〜Ｆ１ｄの荷重がそれぞれ発生する。
【０１４６】
マスク部品２０４の付勢部材４００ａ〜４００ｄによる荷重Ｆ１ａ〜Ｆ１ｄの合力をＦａとする。
【０１４７】
この際、付勢部材４００による合力Ｆａと、マスク部品２０４よりも内部（以下、−ｚ方向と呼ぶ）にある光学部品２０１の重量Ｍ１の関係は、Ｆａ＞Ｍ１であることが望ましい。
【０１４８】
なぜならば、図中＋ｚ方向が重力方向となるようにカメラ１００を向けた場合に、Ｆａ＜Ｍ１であるならば、第１の光学部品２０１の自重で付勢部材４００が変形し、光学部品２０１の位置が動いてしまうためである。
【０１４９】
従って、カメラ１００がどのような方向を向いている場合であっても、光学部品２０１を精度よく位置決めするためには、荷重関係をＦａ＞Ｍ１とする必要がある。
【０１５０】
本実施例では、第１の光学部品２０１の保持は付勢部材４００の弾性力によって保証されている。
【０１５１】
しかしながら、その他仕様、設計条件により、付勢部材４００のみでの保証が難しい場合は、光学部品２０１を第１の光学部品の保持部材に対して接着してもよい。
【０１５２】
その場合は、光学部材との相性、強度、組立性を考慮して、ＵＶ接着材を使用するのが一般的である。
【０１５３】
また、マスク部品２０４が接眼ユニット２００に収納された状態において、弾性部材２０８は、凸部４０５ａ〜４０５ｃでマスク部品２０５と接触しており、図１３に示すＦ２ａ〜Ｆ２ｄの荷重がそれぞれ発生する。
【０１５４】
弾性部材２０８の凸部４０５ａ〜４０５ｃによる荷重Ｆ２ａ〜Ｆ２ｄの合力をＦｂとする。
【０１５５】
このとき、マスク部品２０４は付勢部材４００ａ〜４００ｄの先端で、光学部品２０２と接触している。
【０１５６】
また、マスク部品２０５は光学部品２０２の２１５ａ〜２１５ｃと光軸方向で接触している。
【０１５７】
この際、付勢部材４００の合力Ｆａと、マスク部品にある光学部品２０２の重量Ｍ２と、マスク部品２０５の重量Ｍ５と、弾性部材２０８の合力Ｆｂの関係は、Ｆａ＜Ｍ２＋Ｍ５＋Ｆｂであることが望ましい。
【０１５８】
マスク部品２０４よりも外部は、以下、＋ｚ方向と呼ぶ。
【０１５９】
なぜならば、Ｆａ＞Ｍ２＋Ｍ５＋Ｆｂとなった場合に、付勢部材４００が光学部品２０２、およびそれに接触しているマスク部品２０５を押し上げてしまう。
【０１６０】
よって、第２の光学部品２０２、および第２のマスク部品２５の位置が動いてしまうためである。
【０１６１】
従って、光学部品２０２、および第２のマスク部品２０５を精度よく位置決めするためには、荷重関係をＦａ＜Ｍ２＋Ｍ５＋Ｆｂとする必要がある。
【０１６２】
この時、第３の光学部品２０３に関しては、光軸方向の受け面は図４に示した通り、第１の光学部品の保持部材に設けられており、弾性部材２０８と狭持されている。
【０１６３】
そのため、荷重Ｆ１ａ〜Ｆ１ｄの合力Ｆａとは関係なく、精度よく位置決めされる。
【０１６４】
以上の構成により、光学部品２０１〜２０３、およびマスク部品２０４、２０５を精度よく位置決めできる。
【０１６５】
第２の付勢部材６００による荷重は、第２のマスク２０５よりも被写体側にある第２の光学部品２０２の重量及び第１のマスク２０４の重量及び第１の光学部品２０１の重量、第１の付勢部材４００による荷重の合計の値よりも大きい。
【０１６６】
そのため、ユーザーがファインダを覗いた際の、ファインダ品質（ファインダ像の歪み、視野角など）を安定して向上させることができる。
【０１６７】
本実施例では、マスク部品２０４に付勢部材４００ａ〜４００ｄが設けられている構成となっている。
【０１６８】
しかしながら、図１６の第２のマスク部品６０５に示す通り、上述のマスク部品２０５にも付勢部材６００ａ〜６００ｄが設けられていてもよい。
【０１６９】
この場合、付勢部材６００ａ〜６００ｄを含めた荷重関係について説明する。
【０１７０】
マスク部品６０５が接眼ユニット２００に収納された状態において、付勢部材６００ａ〜６００ｄは、不図示の光学部品２０３、弾性部材２０８の押圧力にて弾性変形し、図１５に示すＦ３ａ〜Ｆ３ｄの荷重がそれぞれ発生する。
【０１７１】
この際、荷重Ｆ３ａ〜Ｆ３ｄの合力Ｆｃと、マスク部品６０５よりも−ｚ方向にある光学部品２０１、２０２の重量Ｍ１、Ｍ２、マスク部品２０４、および付勢部材４００ａ〜４００ｄの荷重Ｆａの関係式は以下を満たす。
関係式は、Ｆｃ＞Ｍ１＋Ｍ２＋Ｍ４＋Ｆａとなる。
【０１７２】
なぜならば、図中＋ｚ方向が重力方向となるようにカメラ１００を向けた場合に、Ｆｃ＜Ｍ１＋Ｍ２＋Ｍ４＋Ｆａである。その場合、各部品の自重および、荷重Ｆａにより、付勢部材６００が変形し、光学部品２０１、２０２の位置が動いてしまうためである。
【０１７３】
従って、カメラ１００がどのような方向を向いている場合であっても、光学部品２０１、２０２を精度よく位置決めするためには、荷重関係をＦｃ＞Ｍ１＋Ｍ２＋Ｍ４＋Ｆａとする必要がある。
【０１７４】
また、マスク部品６０５が接眼ユニット２００に収納された状態において、弾性部材２０８は、凸部４０５ａ〜４０５ｃでマスク部品６０５と接触しており、図１５に示すＦ２ａ〜Ｆ２ｄの荷重がそれぞれ発生する。
【０１７５】
さらに、マスク部品６０５の付勢部材６００ａ〜６００ｄの先端は、光学部品２０３と接触している。
【０１７６】
この際、荷重Ｆ３ａ〜Ｆ３ｄの合力Ｆｃと、マスク部品６０５よりも＋ｚ方向にある。
【０１７７】
かつマスク部品６０５と接触している光学部品２０３の重量Ｍ３と、弾性部材２０８による荷重Ｆ２ａ〜Ｆ２ｄの合力Ｆｂの関係は、Ｆｃ＜Ｍ３＋Ｆｂであることが望ましい。
【０１７８】
なぜならば、Ｆｃ＞Ｍ３＋Ｆｂとなった場合に、付勢部材６００が光学部品２０３を押し上げてしまい、光学部品２０３の位置が動いてしまうためである。
【０１７９】
従って、光学部品２０３を精度よく位置決めするためには、荷重関係をＦｃ＜Ｍ３＋Ｆｂとする必要がある。
【０１８０】
第２のマスク６０５の第２の付勢部材６００による荷重は、第２のマスク６０５よりも反被写体側にある第３の光学部品２０３の重量及び第３の付勢部材２０８による荷重の合計の値よりも小さい。
【０１８１】
本実施例では、マスク部品が２つ設けられている構成について述べたが、マスク部品が３つ以上設けられている場合においても同様の効果を見込むことが可能である。
【０１８２】
また、付勢部材４００、６００がマスク部品２０４だけに設けられている構成、およびマスク部品２０４、６０５の両方に設けられている構成について述べた。
【０１８３】
しかしながら、もちろん、付勢部材６００がマスク部品６０５だけに設けられている構成であってもよい。
【０１８４】
上述の通り、本発明によって、光学部品の保持において、簡易な構成かつ限られたスペース内で、光学部品とマスク部品を高精度に保持することが可能な光学部品保持装置を提供する。
【０１８５】
以上、本発明の好ましい実施例について説明したが、本発明はこれらの実施例に限定されず、その要旨の範囲内で種々の変形及び変更が可能である。
【符号の説明】
【０１８６】
２０１  第１の光学部品
２０２  第２の光学部品
２０３  第３の光学部品
２０４  第１のマスク部品
２０５  第２のマスク部品
５０４  マスク部品
６０５  マスク部品
２０６  第１の保持部材
２０７  第２の保持部材
２０８  弾性部材
４００  付勢部材
５００  付勢部材
６００  付勢部材
【図１】
2019168609.tif 000003
【図２】
2019168609.tif 000004
【図３】
2019168609.tif 000005
【図４】
2019168609.tif 000006
【図５】
2019168609.tif 000007
【図６】
2019168609.tif 000008
【図７】
2019168609.tif 000009
【図８】
2019168609.tif 000010
【図９】
2019168609.tif 000011
【図１０】
2019168609.tif 000012
【図１１】
2019168609.tif 000013
【図１２】
2019168609.tif 000014
【図１３】
2019168609.tif 000015
【図１４】
2019168609.tif 000016
【図１５】
2019168609.tif 000017
【図１６】
2019168609.tif 000018
【図１７】
2019168609.tif 000019
【図１８】
2019168609.tif 000020